(57)【特許請求の範囲】
【請求項１】
カメラ付きドアホン子器と、そのカメラ付きドアホン子器と接続されるモニタ付きインターホン親機と、そのモニタ付きインターホン親機に接続されるモニタ付きインターホン副親機とを備えるモニタ付きワイヤレス通話システムにおいて、
カメラ付ドアホン子器は、多重化分離化処理部と、マイクからの信号をＦＭ変調して多重化分離化処理部へ送るＦＭ変調部と、多重化分離化処理部からの信号をＦＭ復調してスピーカへ送るＦＭ復調部とを備え、カメラ付ドアホン子器の多重化分離化処理部は、マイクで取得した音声信号及びカメラで撮像した映像信号を多重化し２線式信号線を介してモニタ付きインターホン親機に出力する一方で、モニタ付きインターホン親機から伝送される多重化信号から音声信号を分離するものであり、
カメラ付きドアホン子器と有線で接続されているモニタ付きインターホン親機は、多重化分離化処理部と、無線送受信部と、マイクからの信号をＦＭ変調して多重化分離化処理部へ送るＦＭ変調部と、多重化分離化処理部からの信号をＦＭ復調してスピーカへ送るＦＭ復調部とを備え、モニタ付きインターホン親機の多重化分離化処理部は、カメラ付きドアホン子器との通信では、ＦＭ変調部の変調結果を２線式信号線を介してカメラ付きドアホン子器に出力する一方で、カメラ付きドアホン子器から２線式信号線を介して伝送される多重化信号を分離してモニタへの受信映像信号とＦＭ復調部への入力信号とに分離し、モニタ付きインターホン副親機との通信つまり通話では、送話と受話とをそれぞれ多重化するものであり、モニタ付きインターホン親機の無線送受信部は、モニタ付きインターホン親機の多重化分離化処理部にスイッチS４経由で接続され、カメラ付きドアホン子器から伝送された音声信号と映像信号をスイッチS４経由で無線信号で送信し、モニタ付きインターホン副親機から無線送信される無線音声信号をスイッチS４経由で受信するものであり、前記スイッチS４はモニタ付きインターホン副親機との音声および／または映像の通信を行う際には閉じ、それ以外は開くように開閉制御されるものであり、
モニタ付きインターホン副親機は、多重化分離化処理部と、無線送受信部と、マイクからの信号をＦＭ変調して多重化分離化処理部へ送るＦＭ変調部と、多重化分離化処理部からの信号をＦＭ復調してスピーカへ送るＦＭ復調部とを備え、モニタ付きインターホン副親機の多重化分離化処理部は、無線送受信部で受信した多重化信号を分離してモニタへの受信映像信号とＦＭ復調部への入力信号とに分離する一方、ＦＭ変調部からの変調結果を時分割多重化するものであり、モニタ付きインターホン副親機の無線送受信部は、モニタ付きインターホン親機から無線信号により送信される無線音声信号と無線映像信号を受信し、多重化分離化処理部から受けた音声信号を無線信号で送信するものであり、
カメラ付きドアホン子器とモニタ付きインターホン親機間で、音声信号をＦＭ変調して伝送し、映像信号をベースバンド伝送すると共に、
モニタ付きインターホン親機は、ＦＭ変調した音声信号と映像信号とを無線によりモニタ付きインターホン副親機に伝送し、モニタ付きインターホン副親機は、ＦＭ変調した音声信号を無線によりモニタ付きインターホン親機に伝送することを特徴とするモニタ付きワイヤレス通話システム。
【発明の詳細な説明】
【０００１】
【発明の属する技術分野】
本発明は、カメラ付きドアホン子器と、モニタ付きインターホン親機と、モニタ付きインターホン副親機とを備えるモニタ付きワイヤレス通話システムに関するものである。
【０００２】
【従来の技術】
住戸外に取り付けられるカメラ付きドアホン子器と、住戸内に取り付けられカメラ付きドアホン子器に接続されるモニタ付きインターホン親機と、住戸内に取り付けられモニタ付きインターホン親機に接続されるモニタ付きインターホン副親機とを備えたモニタ付きワイヤレス通話システムがある。このようなシステムは、カメラ付きドアホン子器に設けられた呼出釦を来客者が操作することによって、モニタ付きインターホン親機が２線式信号線を介してカメラ付きドアホン子器に給電し、カメラ付きドアホン子器に設けられたカメラが撮像した来客者の映像をモニタ付きインターホン親機に設けられたモニタに映し出すと共に、カメラ付きドアホン子器及びモニタ付きインターホン親機にそれぞれ設けられたマイク及びスピーカを用いて音声通話が行えるように構成されている。また、モニタ付きワイヤレス通話システムは、来客者の姿をモニタで確認できるため、防犯の目的でも活用され、モニタ付きインターホン親機と接続可能なモニタ付きインターホン副親機を利用することにより、複数の場所で相手の顔を確認しながら来客者との通話が可能となっている。
【０００３】
図２はモニタ付きワイヤレス通話システムの構成図で、カメラ付きドアホン子器Ａは、マイク１と、スピーカ２と、マイク１に入力された音声信号を増幅するアンプ（以下、マイクアンプ３）と、スピーカを駆動するためのアンプ（以下、スピーカアンプ４）と、マイク１及びスピーカ２に接続される信号線をまとめて２線式信号線に変換する２線４線変換回路Ｈと、来客者の姿を捉えるためのカメラ（図示省略）と、カメラから出力される映像信号をＦＭ変調するＦＭ変調回路５と、呼出釦（図示省略）と、音声信号及び映像信号を多重化した信号または制御信号を２線式信号線を介してモニタ付きインターホン親機Ｂに出力すると共に、モニタ付きインターホン親機Ｂから伝送される多重化信号から音声信号を分離する多重化分離化処理部６とを備えている。
【０００４】
また、モニタ付きインターホン親機Ｂは、マイク７と、スピーカ８と、マイクアンプ９と、スピーカアンプ１０と、２線４線変換回路Ｈと、モニタ（図示省略）と、２線式信号線を介してカメラ付きドアホン子器Ａに電力を供給する給電回路１１と、ＦＭ変調された映像信号を復調するＦＭ復調回路１２と、音声信号を多重化しカメラ付きドアホン子器Ａに出力すると共に、カメラ付きドアホン子器Ａから伝送される多重化信号を分離する多重化分離化処理部１３と、カメラ付きドアホン子器Ａからの呼び出しに応答して通話を開始する際に操作する通話釦（図示省略）と、モニタ付きインターホン親機Ｂとモニタ付きインターホン副親機Ｃ間で通話（内線通話）を行う際に操作される内線釦（図示省略）と、各種信号線の接続状態を切り替えるスイッチと、スイッチの制御、及び、各種操作釦に対する操作に応じて所定回路の動作を制御するマイコン１４とを備えている。
【０００５】
さらに、モニタ付きインターホン副親機Ｃは、マイク１５と、スピーカ１６と、マイクアンプ１７と、スピーカアンプ１８と、２線４線変換回路Ｈと、ＦＭ変調された映像信号を復調するＦＭ復調回路１９と、音声信号を多重化し２線式信号線を介してモニタ付きインターホン親機Ｂに出力すると共に、モニタ付きインターホン親機Ｂから伝送される多重化信号を分離する多重化分離化処理部２０と、カメラ付きドアホン子器Ａからの呼び出しに応答して通話を開始する際に操作する通話釦（図示省略）と、モニタ付きインターホン親機Ｂとモニタ付きインターホン親機Ｃ間で通話を行う際に操作される内線釦（図示省略）と、マイコン２１と、各種信号線の接続状態を切り替えるスイッチとを備えている。
【０００６】
また、カメラ付きドアホン子器Ａは、マイク１に入力された音声信号を、ＦＭ変調した映像信号と多重化して、モニタ付きインターホン親機Ｂまたはモニタ付きインターホン副親機Ｃに伝送するように構成され、モニタ付きインターホン親機Ｂ及びモニタ付きインターホン副親機Ｃは、マイクに入力された音声信号を多重化してカメラ付きドアホン子器Ａに伝送するように構成されていた。つまり、カメラで撮像された映像信号はＦＭ変調されて伝送され、音声信号はベースバンド伝送されていた。
【０００７】
さらに、図２に示すシステムは、音声信号をベースバンド伝送によって双方向に伝送するために２線４線変換回路Ｈを用いていた。図３に基づいて２線４線変換回路Ｈの概略構成について説明する。図に示すように、２線４線変換回路Ｈは、マイクアンプに接続されるマイク接続端子と、スピーカアンプに接続されるスピーカ接続端子と、２線式信号線に接続されるライン接続端子と、混合器２２とを備えている。マイク接続端子とスピーカ接続端子とライン接続端子のそれぞれの一方の端子はＧＮＤに接続され、マイク接続端子の他方の端子は、ライン接続端子の他方の端子と混合器２２の一方の入力端子と混合器２２の他方の入力端子に接続されている。また、混合器２２の出力端子はスピーカ接続端子の他方の端子に接続されている。
【０００８】
図３に示した２線４線変換回路Ｈの動作を、カメラ付きドアホン子器Ａに設けられた２線４線変換回路Ｈを例にとって説明する。カメラ付きドアホン子器Ａに設けられた２線４線変換回路Ｈのマイク接続端子に入力された音声信号は、ライン接続端子及び２線式信号線を介してモニタ付きインターホン親機Ｂに伝送される。一方、モニタ付きインターホン親機Ｂから伝送される音声信号は、カメラ付きドアホン子器Ａに設けられた２線４線変換回路Ｈのライン接続端子を介して混合器２２の一方の入力端子に入力される。この場合、混合器２２の一方の入力端子に入力される音声信号は、カメラ付きドアホン子器Ａのマイク１に入力され増幅された音声信号と、モニタ付きインターホン親機Ｂから伝送される音声信号とが重畳された信号となる。しかし、混合器２２の他方の入力端子に入力された信号は、位相が反転され一方の入力端子に入力された信号に重畳されるように混合器２２は構成されているので、混合器２２の出力端子からは、カメラ付きドアホン子器Ａのマイク１に入力され増幅された音声信号がキャンセルされた信号、つまり、モニタ付きインターホン親機Ｂから伝送される音声信号のみが出力される。これにより、２線式信号線を用いて双方向の音声信号をベースバンド伝送することができる。
【０００９】
【発明が解決しようとする課題】
以上に説明したように、施工工事が容易な２線式信号線を用いて、音声信号をベースバンド伝送し、映像信号をＦＭ変調して伝送する方式では、双方向の音声通話を実現するために２線４線変換回路が必要であった。
【００１０】
本発明は、上記問題点に鑑みなされたもので、その目的とするところは、２線４線変換回路が不要な、２線式信号線を用いた双方向の音声通話を実現するモニタ付きワイヤレス通話システムの構造を提供することにある。
【００１１】
【課題を解決するための手段】
上記目的を達成するため、請求項１記載のモニタ付きワイヤレス通話システムは、
カメラ付きドアホン子器と、そのカメラ付きドアホン子器と接続されるモニタ付きインターホン親機と、そのモニタ付きインターホン親機に接続されるモニタ付きインターホン副親機とを備えるモニタ付きワイヤレス通話システムにおいて、
カメラ付ドアホン子器は、多重化分離化処理部と、マイクからの信号をＦＭ変調して多重化分離化処理部へ送るＦＭ変調部と、多重化分離化処理部からの信号をＦＭ復調してスピーカへ送るＦＭ復調部とを備え、カメラ付ドアホン子器の多重化分離化処理部は、マイクで取得した音声信号及びカメラで撮像した映像信号を多重化し２線式信号線を介してモニタ付きインターホン親機に出力する一方で、モニタ付きインターホン親機から伝送される多重化信号から音声信号を分離するものであり、
カメラ付きドアホン子器と有線で接続されているモニタ付きインターホン親機は、多重化分離化処理部と、無線送受信部と、マイクからの信号をＦＭ変調して多重化分離化処理部へ送るＦＭ変調部と、多重化分離化処理部からの信号をＦＭ復調してスピーカへ送るＦＭ復調部とを備え、モニタ付きインターホン親機の多重化分離化処理部は、カメラ付きドアホン子器との通信では、ＦＭ変調部の変調結果を２線式信号線を介してカメラ付きドアホン子器に出力する一方で、カメラ付きドアホン子器から２線式信号線を介して伝送される多重化信号を分離してモニタへの受信映像信号とＦＭ復調部への入力信号とに分離し、モニタ付きインターホン副親機との通信つまり通話では、送話と受話とをそれぞれ多重化するものであり、モニタ付きインターホン親機の無線送受信部は、モニタ付きインターホン親機の多重化分離化処理部にスイッチS４経由で接続され、カメラ付きドアホン子器から伝送された音声信号と映像信号をスイッチS４経由で無線信号で送信し、モニタ付きインターホン副親機から無線送信される無線音声信号をスイッチS４経由で受信するものであり、前記スイッチS４はモニタ付きインターホン副親機との音声および／または映像の通信を行う際には閉じ、それ以外は開くように開閉制御されるものであり、
モニタ付きインターホン副親機は、多重化分離化処理部と、無線送受信部と、マイクからの信号をＦＭ変調して多重化分離化処理部へ送るＦＭ変調部と、多重化分離化処理部からの信号をＦＭ復調してスピーカへ送るＦＭ復調部とを備え、モニタ付きインターホン副親機の多重化分離化処理部は、無線送受信部で受信した多重化信号を分離してモニタへの受信映像信号とＦＭ復調部への入力信号とに分離する一方、ＦＭ変調部からの変調結果を時分割多重化するものであり、モニタ付きインターホン副親機の無線送受信部は、モニタ付きインターホン親機から無線信号により送信される無線音声信号と無線映像信号を受信し、多重化分離化処理部から受けた音声信号を無線信号で送信するものであり、
カメラ付きドアホン子器とモニタ付きインターホン親機間で、音声信号をＦＭ変調して伝送し、映像信号をベースバンド伝送すると共に、
モニタ付きインターホン親機は、ＦＭ変調した音声信号と映像信号とを無線によりモニタ付きインターホン副親機に伝送し、モニタ付きインターホン副親機は、ＦＭ変調した音声信号を無線によりモニタ付きインターホン親機に伝送することを特徴とする。
【００１２】
【発明の実施の形態】
図１に基づいて本発明の一実施形態について説明する。図はハンズフリー型のモニタ付きワイヤレス通話システムの構成図で、カメラ付きドアホン子器Ｄは、マイク２３と、スピーカ２４と、マイクアンプ２５と、スピーカアンプ２６と、マイクアンプ２５から出力される音声信号をＦＭ変調するＦＭ変調回路２７と、モニタ付きインターホン親機Ｅから伝送される、ＦＭ変調された音声信号を復調するＦＭ変調回路２８と、来客者の姿を捉えるためのカメラ（図示省略）と、呼出釦（図示省略）と、ＦＭ変調回路２７及びＦＭ復調回路２８に接続され、音声信号及び映像信号を多重化し２線式信号線を介してモニタ付きインターホン親機Ｅに出力すると共に、モニタ付きインターホン親機Ｅから伝送される多重化信号から音声信号を分離する多重化分離化処理部２９とを備えている。
【００１３】
また、モニタ付きインターホン親機Ｅは、マイク３０と、スピーカ３１と、マイクアンプ３２と、スピーカアンプ３３と、ＦＭ変調された音声信号を復調してスピーカアンプ３３に出力するＦＭ復調回路３４と、マイクアンプ３２から出力される音声信号をＦＭ変調するＦＭ変調回路３５と、モニタ（図示省略）と、２線式信号線を介してカメラ付きドアホン子器Ｄに電力を供給する給電回路３６と、ＦＭ変調された音声信号を２線式信号線を介してカメラ付きドアホン子器Ｄに出力すると共に、カメラ付きドアホン子器Ｄから２線式信号線を介して伝送される多重化信号を分離する多重化分離化処理部３７と、カメラ付きドアホン子器Ｄからの呼び出しに応答して通話を開始する際に操作する通話釦（図示省略）と、モニタ付きインターホン親機Ｅとモニタ付きインターホン副親機Ｆ間で通話を行う際に操作される内線釦（図示省略）と、モニタ付きインターホン親機Ｅの動作を制御するマイコン３８と、多重化分離化処理部３７に接続され、モニタ付きインターホン副親機Ｆに設けられた無線送受信部との間で、無線信号を伝送媒体として多重化信号を相互に伝送する無線送受信部３９と、アンテナ４０とを備えている。
【００１４】
また、モニタ付きインターホン親機Ｅには、モニタ付きインターホン親機Ｅでの通話を制御する回路として、ＦＭ復調回路３４とスピーカアンプ３３間、ＦＭ変調回路３５とマイクアンプ３２間、モニタと多重化分離化処理部３７間に、それぞれ、スイッチＳ１、スイッチＳ２、スイッチＳ３が設けられ、モニタ付きインターホン副親機Ｆでの通話を制御する回路として、多重化分離化処理部３７と無線送受信部３９との間にスイッチＳ４が設けられている。
【００１５】
一方、モニタ付きインターホン副親機Ｆは、アンテナ４１と、アンテナ４１に接続され、モニタ付きインターホン親機Ｅとの間で無線信号を伝送媒体として多重化信号を伝送するための無線送受信部４２と、無線送受信部４２に接続され、受信された多重化信号を分離すると共に、ＦＭ変調された音声信号を多重化して無線送受信部４２に出力する多重化分離化処理部４３と、モニタ付きインターホン親機Ｅから伝送された音声信号を復調するＦＭ復調回路４４と、音声信号をＦＭ変調するＦＭ変調回路４５と、マイコン４６と、マイク４７と、スピーカ４８と、マイクアンプ４９と、スピーカアンプ５０とを備えている。また、多重化分離化処理部４３とＦＭ復調回路４４間の接続状態を制御するスイッチＳ５と、多重化分離化処理部４３とＦＭ変調回路４５間の接続状態を制御するスイッチＳ６と、多重化分離化処理部４３とモニタ間の接続状態を制御するスイッチＳ７とを備えている。
【００１６】
さらに、図１に示すシステムでは、カメラ付きドアホン子器Ｄからモニタ付きインターホン親機ＥにＦＭ変調されて伝送される音声信号の搬送波周波数と、モニタ付きインターホン親機Ｅからカメラ付きドアホン子器ＤにＦＭ変調されて伝送される音声信号の搬送波周波数とを変えて、それぞれの伝送周波数帯が異なるように構成されている。同様に、モニタ付きインターホン親機Ｅからモニタ付きインターホン副親機ＦにＦＭ変調されて伝送される音声信号の搬送波周波数と、モニタ付きインターホン副親機Ｆからモニタ付きインターホン親機ＥにＦＭ変調されて伝送される音声信号の搬送波周波数とが異なるように構成されている。言い換えると、カメラ付きドアホン子器Ｄ、モニタ付きインターホン親機Ｅ、モニタ付きインターホン副親機Ｆのそれぞれに設けられているＦＭ変調回路の搬送波周波数は全て異なるように構成されていると共に、各ＦＭ復調回路は２線式信号線を介して伝送される、２種類の搬送波周波数のＦＭ変調波を復調するように構成されている。このように構成することにより、２線式信号線を用いて論理的な４線伝送を実現することができるので、２線４線変換回路Ｈを用いずに双方向の音声通話を実現することができる。
【００１７】
図１に示したシステムの動作について説明する。カメラ付きドアホン子器Ｄの呼出釦が操作されると、モニタ付きインターホン親機Ｅは、マイコン３８により２線式信号線上の電圧変動を検出してカメラ付きドアホン子器Ｄの通話釦が操作されたことを検出し、カメラ付きドアホン子器Ｄに給電を行う。そして、スイッチＳ３をＯＮ状態にして、カメラ付きドアホン子器Ｄのカメラが撮像しベースバンド伝送された映像信号を多重化分離化処理部３７で分離しモニタに出力すると共に、スイッチＳ４をＯＮ状態にして、カメラ付きドアホン子器Ｄから伝送される、ベースバンド伝送された映像信号とＦＭ変調された音声信号の多重化信号を、モニタ付きインターホン副親機Ｆに無線送信する。この状態では、通話釦が操作されていないので、モニタ付きインターホン親機ＥのスイッチＳ１及びスイッチＳ２はＯＦＦ状態になっておりスピーカ３１とマイク３０は使用できない状態となっている。一方、モニタ付きインターホン副親機Ｆのマイコン４６は、モニタ付きインターホン親機Ｅから伝送される多重化信号を無線送受信部４２で受信し、スイッチＳ７をＯＮ状態にして、モニタ付きインターホン親機Ｅから無線送信された多重化信号から映像信号を分離しモニタに出力する。
【００１８】
カメラ付きドアホン子器Ｄの呼出釦が操作された後、モニタ付きインターホン親機Ｅの通話釦が操作されると、モニタ付きインターホン親機Ｅのマイコン３８はそれを検出し、スイッチＳ１及びスイッチＳ２をＯＮ状態にしてマイク３０とスピーカ３１を使用可能状態とする。これにより、カメラ付きドアホン子器Ｄとモニタ付きインターホン親機Ｅ間の通話路が形成され通話が可能となる。また、モニタ付きインターホン親機Ｅのマイコン３８は、通話路を切断する旨の制御信号（通話路切断信号）をモニタ付きインターホン副親機Ｆに無線送信した後、スイッチＳ４をＯＦＦ状態として無線送信を停止する。これにより、モニタ付きインターホン副親機Ｆは、通話路切断信号を検出し、スイッチＳ７をＯＦＦ状態としてモニタへの映像出力を停止する。
【００１９】
モニタ付きインターホン親機Ｅの通話釦の代わりに、モニタ付きインターホン副親機Ｆの通話釦が操作された場合には、モニタ付きインターホン副親機Ｆのマイコン４６は、通話釦が操作された旨を検出し、通話路を形成する旨の制御信号（通話路形成信号）を無線信号に変換してモニタ付きインターホン親機Ｅに送信すると共に、スイッチＳ５及びスイッチＳ６をＯＮ状態にしてマイク４７とスピーカ４８を使用可能状態とする。一方、モニタ付きインターホン親機Ｅのマイコン３８が通話路形成信号を検出すると、モニタ付きインターホン親機Ｅのマイコン３８は、スイッチＳ３をＯＦＦ状態にしてモニタへの映像出力を停止する。その結果、カメラ付きドアホン子器Ｄとモニタ付きインターホン副親機Ｆ間に通話路が形成され通話が可能となる。このとき、モニタ付きインターホン親機Ｅは、カメラ付きドアホン子器Ｄから伝送される多重化信号をモニタ付きインターホン副親機Ｆに無線送信すると共に、モニタ付きインターホン副親機から無線送信される多重化信号（音声信号のみ）を受信しカメラ付きドアホン子器Ｄに伝送するように構成されている。
【００２０】
次に、モニタ付きインターホン親機Ｅとモニタ付きインターホン副親機Ｆとの通話（内線通話）を行う場合の動作について説明する。まず、モニタ付きインターホン親機Ｅの内線釦が操作されると、モニタ付きインターホン親機Ｅのマイコン３８は、モニタ付きインターホン親機ＥのスイッチＳ１乃至スイッチＳ４をＯＮ状態にして、モニタ付きインターホン副親機Ｆに内線釦が操作された旨の制御信号を無線送信し、マイク３０及びスピーカ３１を使用可能状態とする。この場合は、モニタ付きインターホン親機Ｅは、カメラ付きドアホン子器Ｄに給電せず、カメラ付きドアホン子器Ｄは、モニタ付きインターホン親機Ｅとモニタ付きインターホン副親機Ｆとの内線通話から除外される。一方、モニタ付きインターホン副親機Ｆでは、モニタ付きインターホン親機Ｅから無線送信された制御信号を検出してスイッチＳ５及びスイッチＳ６をＯＮ状態にしてマイク４７及びスピーカ４８を使用可能状態とし、マイク４７に入力された音声信号を無線送受信部４２により無線送信すると共に、モニタ付きインターホン親機Ｅから無線送信された音声信号を無線送受信部４２により受信しスピーカ４８に出力する。
【００２１】
【発明の効果】
本発明のモニタ付きワイヤレス通話システムによれば、双方向の音声通話を実現する場合に、２線式信号線を用いて論理的な４線伝送を実現できるので、従来必要であった２線４線変換回路を無くすことが可能となる。
【図面の簡単な説明】
【図１】本発明のモニタ付きワイヤレス通話システムの一実施形態を示す構成図である。
【図２】従来のモニタ付きワイヤレス通話システムの一例を示す構成図である。
【図３】２線４線変換回路の概略構成を示す構成図である。
【符号の説明】
Ｄ          カメラ付きドアホン子器
Ｅ          モニタ付きインターホン親機
Ｆ          モニタ付きインターホン副親機
【図１】
0003577976.tif 000002
【図２】
0003577976.tif 000003
【図３】
0003577976.tif 000004